(57)【要約】【課題】構造が単純かつ費用対効果的で、さまざまな座席のシャーシ用途として適応性のある、人間工学的に設計された座席の構造を提供する。【解決手段】座面部100および背もたれ部200を有し、座面部100は、座席のシャーシ300に固定される座面フレーム102と、座面フレーム102に枢着された座面台111と、座面フレーム102と座面台111との間に配置され、それらの間で弾力的なチルト回動ができるようにした第１の弾力部材130とを有する。背もたれ部200は、シャーシ300に固定される背面フレーム202と、背面フレーム202に接続しているランバーサポート210と、ランバーサポート210に枢着された背面サポート220と、ランバーサポート210および背面サポート220の表面に沿って配置され、それらの間に弾力的な相対チルト回動ができるようにした第２の弾力部材240と、背面サポート220に接続され、背面サポート220の回動可動域を制限するように構成された枢動アーム226と、ランバーサポート210に結合され、枢動アーム226と当接するように構成されたレバー受け216とを備える。【選択図】図５
2021514276.tif 000002
【特許請求の範囲】
【請求項１】
人間工学的に設計された座席の構造であって、座面部と背もたれ部とを含み、
前記座面部は、シャーシに固定されるための座面フレームと、前記座面フレームに対して第１の横水平軸の周りに回動が可能なように前記座面フレームに枢着される座面台と、前記座面フレームと前記座面台との間で弾力的な相対回動ができるように、前記座面フレームと前記座面台との間に配置された少なくとも１つの第１の弾力部材と、を含み、
前記背もたれ部は、前記シャーシに固定されるのに適した背面フレームであって、かつ２本の平行な棒を有する背面フレームと、前記２本の平行な棒のそれぞれを介して前記背面フレームに接続されるランバーサポートと、前記背面フレームに対して第２の横水平軸の周りにチルト回動ができるように前記ランバーサポートに枢着される背面サポートと、を含み、
前記２本の平行な棒は、前記第２の横水平軸の両側で、かつ前記第２の横水平軸と平行に方向づけされており、その結果前記第２の横水平軸は前記２本の平行な棒の間にあり、前記背面サポートが前記２本の平行な棒の上側に延びており、
前記ランバーサポートおよび前記背面サポートの各表面に沿って配置され、それらの部材の間の回動チルトに弾力を与える、少なくとも１つの第２の弾力部材をさらに含み、
前記背面フレームおよび前記座面フレームは、少なくとも３つの車輪を有する車椅子のフレームに着脱可能に接続され、前記第２の横水平軸の位置が、前記車椅子のフレームに対して前後に調整可能である、座席の構造。
【請求項２】
前記座面フレームは、当該座面フレームが少なくとも１つの方向においてサイズ調節可能であるように設置された少なくとも１つの伸縮部材を備える、請求項１に記載の座席の構造。
【請求項３】
前記座面フレームは、当該座面フレームが少なくとも１つの方向においてサイズ調節可能であるように設置された複数の伸縮部材を備える、請求項１に記載の座席の構造。
【請求項４】
前記背面フレームは、前記２本の平行な棒の各々に接続する少なくとも１つの伸縮部材を備え、少なくとも１つの方向において前記背面フレームがサイズ調節可能である、請求項１に記載の座席の構造。
【請求項５】
前記背面フレームは、前記２本の平行な棒の各々に接続する複数の伸縮部材であって、当該背面フレームが少なくとも１つの方向においてサイズ調節可能であるように、複数の伸縮部材を含む、請求項１に記載の座席の構造。
【請求項６】
前記背面サポートは、当該背面サポートの回動の可動域を制限するように構成された少なくとも１つの枢動アームであって、前記第２の横水平軸の下側に延びている少なくとも１つの枢動アームを備える、請求項１に記載の座席の構造。
【請求項７】
前記ランバーサポートは、前記少なくとも１つの枢動アームに当接可能なように構成される少なくとも１つのレバー受けを備える、請求項６に記載の座席の構造。
【請求項８】
前記座面台、前記ランバーサポートおよび前記背面サポートの各々は、剛性の材料で作られており、人体に対応するように人間工学的に設計された輪郭形状を有し、かつ複数の換気孔を有する、請求項１に記載の座席の構造。
【請求項９】
人間工学的に設計された座席の構造であって、座面部と背もたれ部とを含み、
前記座面部は、シャーシに固定されるのに適した座面フレームと、前記座面フレームに対して第１の横水平軸の回りにチルト回動が可能なように前記座面フレームに枢着された座面台と、前記座面フレームと前記座面台との間で弾力的な相対チルト回動ができるように、前記座面フレームと前記座面台との間に配置された少なくとも１つの第１の弾力部材と、を備え、
前記背もたれ部は、前記シャーシに固定されるのに適した背面フレームと、前記背面フレームに接続されたランバーサポートと、前記ランバーサポートに枢着された背面サポートであって、前記背面フレームに対して第２の横水平軸の回りにチルト回動できる背面サポートと、前記ランバーサポートおよび前記背面サポートの各表面に沿って配置され、その間で弾力的な相対チルト回動を可能にする少なくとも１つの第２の弾力部材と、
前記背面サポートに接続され、前記背面サポートの回動の可動域を制限するように構成された少なくとも１つの枢動アームと、
前記ランバーサポートに結合され、前記少なくとも１つの枢動アームと当接するように構成された少なくとも１つのレバー受けとをさらに備える、座席の構造。
【請求項１０】
前記座面フレームは、当該座面フレームが少なくとも１つの方向においてサイズ調節可能であるように配置された少なくとも１つの伸縮部材を備える、請求項９に記載の座席の構造。
【請求項１１】
前記背面フレームは、当該背面フレームが少なくとも１つの方向において、サイズ調節可能であるように配置された少なくとも１つの伸縮部材を備える、請求項９に記載の座席の構造。
【請求項１２】
前記座面台、前記ランバーサポートおよび前記背面サポートの各々は、剛性材料を用いて形成され、人体に対応するように人間工学的に設計された輪郭形状を有し、複数の換気孔を有する、請求項９に記載の座席の構造。
【請求項１３】
車椅子であって、
車椅子のシャーシと、座面部と、背もたれ部とを有し、
前記座面部は、前記車椅子のシャーシに固定されるのに適している座面フレームと、前記座面フレームに対して第１の横水平軸の回りにチルト回動が可能なように前記座面フレームに枢着された座面台と、前記座面フレームと前記座面台との間で弾力的な相対チルト回動ができるように、前記座面フレームと前記座面台との間に配置された少なくとも１つの第１の弾力部材と、を備え、
前記背もたれ部は、前記車椅子のシャーシに固定される背面フレームと、前記背面フレームに結合されたランバーサポートと、前記背面フレームに対して第２の横水平軸の回りにチルト回動ができるように、前記ランバーサポートに枢着された背面サポートと、前記ランバーサポートおよび前記背面サポートの各表面に沿って配置され、前記ランバーサポートと前記背面サポートとの間で弾力的な相対チルト回動を可能にする、少なくとも１つの第２の弾力部材と、を備える、車椅子。
【請求項１４】
前記座面フレームが、少なくとも１つの方向において、前記座面フレームのサイズが調節可能であるように配置された少なくとも１つの伸縮部材を備える、請求項１３に記載の車椅子。
【請求項１５】
前記座面フレームが、少なくとも１つの方向において、前記座面フレームのサイズが調節可能であるように配置された複数の伸縮部材を備える、請求項１３に記載の車椅子。
【請求項１６】
前記背面フレームは、少なくとも１つの方向において前記背面フレームのサイズが調節可能であるように配置された少なくとも１つの伸縮部材を備える、請求項１３に記載の車椅子。
【請求項１７】
前記背面フレームは、少なくとも１つの方向において前記背面フレームのサイズが調節可能であるように配置された複数の伸縮部材を備える、請求項１３に記載の車椅子。
【請求項１８】
前記背面サポートは、背面サポートの回動の可動域を制限するように構成される少なくとも１つの枢動アームを備える、請求項１３に記載の車椅子。
【請求項１９】
前記ランバーサポートは、前記少なくとも１つの枢動アームと当接するように構成された少なくとも１つのレバー受けを備える、請求項１８に記載の車椅子。
【請求項２０】
前記座面台、前記ランバーサポートおよび前記背面サポートの各々は、剛性材料によって形成され、人体に対応するように人間工学的に設計された輪郭形状を有し、複数の換気孔を有する、請求項１３に記載の車椅子。
【発明の詳細な説明】
【技術分野】
【０００１】
本発明は座席の構造(seating apparatus)に関する。本発明は、特に、動く姿勢のサポートおよび重量分布を提供するように人間工学的に設計された、フレームまたは座席のシャーシのための、座面および背面サポートに関する。
【背景技術】
【０００２】
本発明は、真っ直ぐな(upright)位置での長期間にわたる着席に関連したいくつかの課題（例えば痛みおよび不快感）を見直すように設計された座席の構造である。
【０００３】
オフィス座席の製造業者は、長期にわたる、真っ直ぐな着席に関連する痛みおよび不快感が医療費の高騰および従業員生産性の縮小につながることを認めている。
【０００４】
座った不快感は広く調査されており、姿勢を強化する座席システムの開発および長期間座る個人の快適さにつながった。
【０００５】
これらの座席システムは、快適さは単一の、静的位置から得られるのではなくて、動作する姿勢の変化を必要とするという前提に基づいた、人間工学的なソリューションを提供する。
【発明の概要】
【発明が解決しようとする課題】
【０００６】
しかしながら、これらの座席システムは、複雑で、製造するのに高価で、さまざまな座席のシャーシに適応できない。
【０００７】
したがって、構造が単純で、費用対効果的で、さまざまな座席のシャーシの用途として適応性がある、人間工学的に設計された座席の構造が求められている。
【０００８】
そこで、まっすぐに着席するユーザに対して姿勢のサポートを提案する座席の構造を提供することが、本発明の目的である。
【０００９】
本発明のさらなる目的は、別々に、または、一緒に使うことができる、座面および背面サポートを提供することにある。
【００１０】
本発明の別の目的は、さまざまな座席のシャーシ（例えば車椅子、自動車、スタジアム、オーディトリアムまたは航空機の座席）の用途に適応性がある座席の構造を提供することである。
【００１１】
さらに別の本発明の目的は、まっすぐに着席したときに、ユーザの骨盤の関節が動けるような座席を提供することである。
【００１２】
さらに他の本発明の目的は、まっすぐに着席している間、ユーザの脊柱の動きに柔軟に対応できるようにした背面サポートを提供することである。
【課題を解決するための手段】
【００１３】
本発明の前記およびその他の目的は、座面部および背もたれ部を有する人間工学的に設計された構造を提供することによって、達成される。
【００１４】
座席は、シャーシに固定される座面フレームと、座面フレームに対して第１の横水平軸の周りに回動可能なように座面フレームに枢着される座面台と、座面フレームと座面台との間で弾力的な相対チルト回動ができるように、座面フレームと座面台との間に配置された少なくとも１つの第１の弾力部材と、を含む。
【００１５】
背もたれ部は、２本の平行な棒を有し、シャーシに固定される背面フレームと、２本の平行な各棒によって背面フレームに接続されるランバーサポートと、第２の横水平軸の周りに、背面フレームに対してチルト回動ができるようにランバーサポートに枢着される背面サポートと、を含む。
【００１６】
２本の平行な棒は、第２の横水平軸が２本の平行な棒の間にあるように、かつ背面サポートが２本の平行な棒の上に延びるように、第２の横水平軸の両側で平行に方向づけされている。
【００１７】
ランバーサポートの表面および背面サポートの表面に沿って配置され、それらの部材の間のチルト回動に弾力を与える、少なくとも１つの第２の弾力部材をさらに含む。
【００１８】
背面フレームおよび座面フレームは、少なくとも３つの車輪を有する車椅子のフレームに着脱可能に接続され、第２の横水平軸の位置が、車椅子のフレームの前部から後部にかけて調整可能である。
【００１９】
いくつかの実施の形態では、座面フレームは、当該座面フレームが少なくとも１つの方向においてサイズ調節可能であるように配置された少なくとも１つの伸縮部材ないし抜き差し筒部材(telescoping member)を含む。
【００２０】
他の実施態様において、座面フレームは、当該座面フレームが少なくとも１つの方向においてサイズ調節可能であるように設置された複数の伸縮部材を含む。
【００２１】
いくつかの実施の形態では、背面フレームは、少なくとも１つの方向において、背面フレームがサイズ調節可能であるように、２本の平行な棒の各々に接続している少なくとも１つの伸縮部材を備える。
【００２２】
背面フレームは、当該背面フレームが少なくとも１つの方向においてサイズ調節可能であるように、２本の平行な棒の各々に接続した複数の伸縮部材を含む。
【００２３】
いくつかの実施の形態では、背面サポートは、当該背面サポートの回動可動域を制限するように構成された少なくとも１つの枢動アームであって、第２の横水平軸の下で延びている少なくとも１つの枢動アームを備える。
【００２４】
他の実施態様において、ランバーサポートは、少なくとも１つの枢動アームに当接するように構成された少なくとも１つのレバー受け(pivot block)を備える。
【００２５】
いくつかの実施の形態では、座面台、ランバーサポートおよび背面サポートの各々は、剛性の材料で作られており、人体に対応するように人間工学的に設計された輪郭形状を有し、かつ複数の換気孔を有する。
【００２６】
本発明の別の実施の形態では、座面部および背もたれ部を有する人間工学的に設計された座席の構造が設けられる。
【００２７】
座面部は、シャーシに固定されるのに適した座面フレームと、座面フレームに対して第１の横水平軸の回りにチルト回動が可能なように座面フレームに枢着された座面台と、座面フレームと座面台との間で、弾力的な相対チルト回動ができるようにして、座面フレームと座面台との間に配置された少なくとも１つの第１の弾力部材とを備える。
【００２８】
背もたれ部は、シャーシに固定されるのに適した背面フレームと、背面フレームに接続されたランバーサポートと、背面フレームに対して第２の横水平軸の回りにチルト回動できるようにランバーサポートに枢着された背面サポートと、ランバーサポートの近接表面に沿って配置された少なくとも１つの第２の弾力部材と、を備える。
【００２９】
背面サポートは、ランバーサポートと背面サポートとの間で弾力的な相対チルト回動を可能にしており、背面サポートに接続され、背面サポートの回動可動域を制限するように構成された少なくとも１つの枢動アームと、ランバーサポートに接続され、少なくとも１つの枢動アームに当接するように構成された少なくとも１つのレバー受け(pivot block)とをさらに備える。
【００３０】
いくつかの実施の形態では、座面フレームは、少なくとも１つの方向において、サイズ調節可能であるように配置された少なくとも１つの伸縮部材を備える。
【００３１】
いくつかの実施の形態では、背面フレームは、少なくとも１つの方向において、サイズ調節可能であるように配置された少なくとも１つの伸縮部材を備える。
【００３２】
いくつかの実施の形態では、 座面台、ランバーサポートおよび背面サポートの各々は、剛性材料によって形成され、人体に対応するように人間工学的に設計された輪郭形状を有し、複数の換気孔を有する。
【００３３】
本発明の他の実施の形態において、車椅子シャーシ、座面部および背もたれ部が設けられた車椅子が提供される。
【００３４】
座面部は、車椅子のシャーシに固定されるのに適した座面フレームと、座面フレームに対して第１の横水平軸の回りにチルト回動が可能なように座面フレームに枢着された座面台と、座面フレームと座面台との間で弾力的な相対チルト回動ができるようにして、座面フレームと座面台との間に配置された少なくとも１つの第１の弾力部材とを含む。
【００３５】
背もたれ部は、シャーシに固定されるのに適した背面フレームと、背面フレームに接続されたランバーサポートと、背面フレームに対して第２の横水平軸の回りにチルト回動できるように、ランバーサポートに枢着された背面サポートと、ランバーサポートおよび背面サポートの各表面に沿って配置された少なくとも１つの第２の弾力部材と、を備え、ランバーサポートと背面サポートとの間で弾力的な相対チルト回動を可能にしている。
【００３６】
いくつかの実施の形態では、座面フレームは、少なくとも１つの方向において、サイズ調節可能であるように配置された少なくとも１つの伸縮部材を備える。
【００３７】
他の実施態様において、座面フレームf、少なくとも１つの方向において、座面フレームのサイズが調節可能であるように配置された複数の伸縮部材を備える。
【００３８】
いくつかの実施の形態では、背面フレームは、少なくとも１つの方向において背面フレームのサイズが調節可能であるように配置された少なくとも１つの伸縮部材を含む。
【００３９】
他の実施態様において、背面フレームは、少なくとも１つの方向において背面フレームのサイズが調節可能であるように配置された複数の伸縮部材を含む。
【００４０】
いくつかの実施の形態では、背面サポートは、背面サポートの回動可動域を制限するように構成される少なくとも１つの枢動アームを含む。
【００４１】
他の実施態様において、ランバーサポートは、少なくとも１つの枢動アームと当接するように構成された少なくとも１つのレバー受け(pivot block)を含む。
【００４２】
いくつかの実施の形態では、座面台、ランバーサポートおよび背面サポートの各々は、剛性材料によって形成され、人体に対応するように人間工学的に設計された輪郭形状を有し、複数の換気孔を有する。
【００４３】
本発明およびその特定の特徴および効果は、添付図面を参照して、以下の記述からより明らかになるであろう。
【図面の簡単な説明】
【００４４】
【図１】本発明に実施の形態に係る座席の構造の正面を示す斜視図である。
【図２】図１の座席の構造の上面図である。
【図３】図１の座席の構造の正面立面図である。
【図４】図１の座席の構造の側面図である。
【図５】図１の座席の構造の側面図であって、座面部および背面サポートの柔軟性を示す。
【図６】図１のシートの底面を示す斜視図である。
【図７】図１の背面サポートの後面を示す斜視図である。
【図８】車椅子シャーシに設置された図１の座席の構造を示す斜視図である。
【図９】スタジアムまたはオーディトリアムに設置されているシャーシに設置された図１の座席の構造を示す斜視図である。
【発明を実施するための形態】
【００４５】
本発明は、人体のための姿勢のサポートと、まっすぐな位置で着席するユーザの自然な動作に対応する座席の構造を指向している。
【００４６】
座席の構造は、さまざまな座席のシャーシ（例えば車椅子、自動車、スタジアム、オーディトリアムまたは航空機の座席）において、一緒に、または、別々に利用できる座面部および背面サポートを含む。
【００４７】
座席の構造は、座席のシャーシから独立した、ユーザの身体の動きを可能にする機構による姿勢のサポートを提供する。ユーザが動くにつれて、彼女の後部および骨盤領域の体重は再分配される。好ましくは、座席は、上下動および横への移動を許容することによって、座席におけるユーザの体重と座圧を再分配する。好ましくは、背もたれ部は、ユーザの体重を、ユーザが後ろにもたれ再び立ち上がるときに弾力性を与え、ユーザの脊椎柱の柔軟性を許容する。
【００４８】
ここで図面を参照する。同じ数字は、図の全体にわたって対応する構造を示す。 以下の実施例はさらに本発明を例示して説明するために用意されており、いかなる考慮においても制限するために受け取られてはならない。
【００４９】
各図に、本発明の実施の形態を示す。
【００５０】
図１は、座面部１００および背もたれ部２００を有する座席の構造１０を示す。好ましくは、座面部１００および背もたれ部２００は、互いに独立してユーザの体重を再分配する離れた部品である。
【００５１】
好ましい実施の形態では、座面部１００および背もたれ部２００は、同じ座席のシャーシに別々に搭載される。
【００５２】
いくつかの実施の形態では、座面部１００だけが座席のシャーシに取り付けられる。
【００５３】
他のいくつかの実施の形態において、背もたれ部２００のみが、座席のシャーシに搭載される。
【００５４】
座面部１００は、座面フレーム１０２を含む。座面フレーム１０２は、各端に貫通ロッド１０３を受けるための開端を有する少なくとも１本の受け入れロッド１０１を含む。
【００５５】
好ましい実施の形態では、座面フレーム１０２は、座面部１００の正面の近くに配置される第１の受け入れロッド１０１と、座面部１００の後部の近くに配置される第２の受け入れロッド１０１とを有する。
【００５６】
貫通ロッド１０３は第１の断面積を有し、受け入れロッド１０１は、受け入れロッド１０１が貫通ロッド１０３を望遠鏡式に受け入れるために構成されるように、第１の断面積より大きな２の断面積を有する。このようにして、ユーザは、座面フレーム１０２の幅を、多様な大きさの座席のシャーシに合うように調整できる。
【００５７】
好ましくは、受け入れロッド１０１および貫通ロッド１０３は円筒状横断面を有する。しかし本発明では、他の十分に形づくられたロッド、例えば矩形または六角形の横断面を有するロッドも考えられる。
【００５８】
貫通ロッド１０３は、座面部１００を座席のシャーシに固定するための取付部材１０８を備えている。好ましくは、取付部材１０８は、図８にも示すように、座面部１００を座席のシャーシ３００に対して着脱自在に固定できるようなＪ―フックまたは類似のブラケットである。
【００５９】
好ましい実施の形態では、複数の取付部材１０８は、図３に図示するように、座席のシャーシ３００へのより簡単な取り付けができるようにするために、座面フレーム１０２から離れる方向に曲げられている。
【００６０】
いくつかの実施の形態では、複数の取付部材１０８は、通常、座面フレーム１０２に対して垂直である。
【００６１】
いくつかの実施の形態では、図９に示すように、座面部１００は、座席のシャーシ３００に対して永久に固定される。
【００６２】
他の好ましい実施の形態では、座面フレーム１０２は、貫通ロッド１０７を受けるための開端を有する少なくとも１つの受け入れロッド１０６を含む。
【００６３】
図６に示すように、受け入れロッド１０６は受入れロッド１０１のうちの１本に固定され、貫通ロッド１０７は、その他の受入れロッド１０１に固定される。貫通ロッド１０７は第１の断面積を有し、受け入れロッド１０６は、受け入れロッド１０６が貫通ロッド１０７を望遠鏡式に受け入れるために構成されるように、第１の断面積より大きい第２の断面積を有する。このようにして、ユーザは、座面フレーム１０２の長さを、多様な大きさの座席のシャーシに合うように調整できる。
【００６４】
好ましくは、受け入れロッド１０６および貫通ロッド１０７は円筒状横断面を有するが、本発明では他の十分に形づくられた、例えば横断面が矩形または六角形のロッドも考えられる。
【００６５】
他の好ましい実施の形態では、座面フレームの部品１０１、１０３、１０６および１０７は、座面フレーム１０２の調整の間、フレームの部品の不注意によるミスアライメントを防ぐため、バネによって付勢された戻り止め(detent)機構を使用する。
【００６６】
好ましくは、受け入れロッド１０１および１０６は、開端の近くに位置する複数のもどり止め孔１０４を有し、貫通ロッド１０３および１０７は、末端の近くに位置するバネで付勢されたもどり止めピン１０５を含む。
【００６７】
もどり止め孔１０４は、もどり止めピン１０５が複数のもどり止め孔１０４のうちの１つに合わせられるときに、もどり止めピン１０５を受けるように構成される。
【００６８】
受け入れロッド１０１／１０６および貫通ロッド１０３／１０７が、もどり止めピン１０５をもどり止め孔１０４に位置合わせするために互いに対して調整されるときに、もどり止めピン１０５は弾力によってロック位置に合わされる。
【００６９】
ユーザは、バネ付勢に対抗してもどり止めピン１０５を手動で押すことによって、もどり止めピン１０５をロック解除位置へ動かすことができ、これによってもどり止めピン１０５は受け入れロッド１０１／１０６の内面に沿って自由に摺動できる。
【００７０】
いくつかの実施の形態では、貫通ロッド１０３／１０７をロッド１０１／１０６に固定するために、公知の他のいかなる係止手段も用いることができる。また、係止手段が用いられない実施の形態も考えられる。
【００７１】
座面部１００は、座面台１１１を含む。
【００７２】
好ましくは、座面台１１１は、剛性材料、例えば成形された複合材料で形成される。座面台１１１は、人体に対応するように人間工学的に設計された輪郭形状を有し、複数の換気孔１１２を有する。
【００７３】
いくつかの実施の形態では、座面台１１１は、一般に平坦な形状を有する。いくつかの実施の形態では、換気性のクッション材から作られた座席パッドが、座面台１１１に配置されている。
【００７４】
好ましくは、座面台１１１の前端は、座面フレーム１０２に、少なくとも１つの支点１１６を介して接続される。
【００７５】
他の好ましい実施の形態では、各図に示されるように、座面台１１１の前端は、座面フレーム１０２に、２つの支点１１６を介して接続される。
【００７６】
好ましくは、図６にて図示するように、支点１１６は、座面フレーム１０２のピボットロッド１０９の端を受容する孔(bore)を有する枢動ブラケットである。ピボットロッド１０９は、少なくとも１つの支持ロッド１１０を介して第１の受け入れロッド１０１に接続している。
【００７７】
好ましくは、ピボットロッド１０９は、座面台１１１が座面フレーム１０２の横断水平軸に軸支されるように、座面フレーム１０２の横断水平軸とほぼ平行に走っている。
【００７８】
好ましくは、座面台１１１の後端部(rear end)は、少なくとも１つのスプリング・アセンブリ１３０を介して座面フレーム１０２に接続している。
【００７９】
他の好ましい実施の形態では、スプリング・アセンブリ１３０は、ウェル・ナット１３４を囲んでいる機械的なバネ１３２を含む。
【００８０】
図５にて図示するように、一番上のウェル・ナット１３４はスプリング・アセンブリ１３０を座面台１１１に接続する。そして、下部ウェル・ナット１３４はスプリング・アセンブリ１３０を第２の受け入れロッド１０１に接続する。
【００８１】
下部ウェル・ナット１３４はサドル座金１３６につながる。サドル座金１３６の上部は、比較的平坦であり、底部は、第２の受け入れロッド１０１の形状に対応する輪郭を有する。
【００８２】
ウェル・ナット１３４は、留め金具１３８（例えばボルトまたはネジ）によって、座面台１１１および第２の受入れロッド１０１に固定される。
【００８３】
いくつかの実施の形態では、スプリング・アセンブリ１３０は、バネ１３２を腐食から保護し、ユーザがバネ１３２によって摘まれることから保護するために、ベローに収納されている。
【００８４】
いくつかの実施の形態では、スプリング・アセンブリ１３０は、他のいかなる適切なスプリングシステム（例えばトーションスプリングまたは機械的なショックアブソーバ）であってもよい。
【００８５】
他の好ましい実施の形態では、各図に示されるように、座面台１１１の後端部は、２つのスプリング・アセンブリ１３０を介して座面フレーム１０２に接続している。
【００８６】
スプリング・アセンブリ１３０の支点１１６に対する関係は、座面部１００により提供される動的な運動を決定する。したがって、このピボット式動作は、座面フレーム１０２の横水平軸を横切ることによって開始され、座面台１１１が上下に、そして、横から横に(side-to-side)移動する。
【００８７】
好ましくは、座面部１００に力が印加されないときに、バネ１３２は、座面台１１１を、座面フレーム１０２と実質的に平行した位置に置くように、寸法決めされる。
【００８８】
力が座面台１１１に加わったとき、図５に示すように、バネ１３２は、座面台１１１を対応する角１５０だけ回転させることにより、距離１４０を圧縮する。
【００８９】
他の好ましい実施の形態では、座面台１１１は、ユーザが着席する通常の位置からほぼ４〜５度だけ回動する。
【００９０】
いくつかの実施の形態では、座面台１１１は、通常の位置からほぼ１０度回動する。
【００９１】
座面台１１１の回動抵抗は、さまざまなバネ定数を有するバネを用いて、または、初期のバネ抵抗を変化させるためにウェル・ナット１３４を締めるかまたはゆるめることによって、さまざまな体重のユーザのために調整され得る。
【００９２】
他の好ましい実施の形態では、座面台は、スプリング・アセンブリ１３０を、座面台１１１に沿ったさまざまな位置に設置するための複数の締付け孔１１４を含む。
【００９３】
スプリング・アセンブリ１３０のさまざまな位置は、ユーザに対する座席の感触、ユーザの体重の配分、そして、ユーザの骨盤および尻の関節の動きに影響を与える。
【００９４】
背もたれ部２００は、背面フレーム２０２を含む。この背面フレーム２０２は、各貫通ロッド２０３を受けるための各開端を有する少なくとも１つの受け入れロッドすなわちバー２０１を含む。
【００９５】
他の好ましい実施の形態では、各図に示すように、背面フレーム２０２は、垂直に積まれた２本の平行する受け入れロッド／バー２０１を備えている。
【００９６】
貫通ロッド２０３は第１の断面積を有する。受け入れロッド２０１は、受け入れロッド２０１が貫通ロッド２０３を望遠鏡式に受け入れるために、第１の断面積より大きい第２の断面積を有する。
【００９７】
このようにして、ユーザは、背面フレーム２０２の幅を、多様な大きさの座席のシャーシに合うように調整できる。
【００９８】
受け入れロッド２０１および貫通ロッド２０３は円筒状横断面を有することが好ましい。しかし、本発明は他の十分に形づくられたロッド、例えば矩形または六角形の横断面または他の横断面形にも適用され得る。
【００９９】
いくつかの実施の形態では、貫通ロッド２０３は、前述したとおり、バネ付勢による戻り止め機構によって、受入れロッド２０１に固定され得る。
【０１００】
いくつかの実施の形態では、公知技術の他のいかなる係止手段も、貫通ロッド２０３を受け入れロッド２０１に固定するために用いることができる。または他の実施の形態において、係止手段を用いないことも可能である。
【０１０１】
他の好ましい実施の形態では、貫通ロッド２０３は、取付けブラケット２０６に接続している。
【０１０２】
取付けブラケット２０６は、取付部材２０４を取付けブラケット２０６に接続するためのボルト、もしくは他の機械的留め具を通す、横に延びる複数のスロット２０８を有する。
【０１０３】
好ましくは、横に延びるスロット２０８によって、ユーザは、背面フレーム２０２の奥行を調整できる。
【０１０４】
他の好ましい実施の形態では、図８に示すように、取付部材２０４は、背もたれ部２００を座席のシャーシ３００に着脱自在に固定できるクランプまたは類似の機構である。
【０１０５】
背もたれ部２００の高さは、取付部材２０４をゆるめ、背もたれ部２００を摺動し座席のシャーシ３００に沿って上下させ、取付部材２０４を締め直すことによって、調節可能である。
【０１０６】
いくつかの実施の形態では、図９に示すように、背もたれ部２００は、座席のシャーシ３００に永久に固定される。
【０１０７】
背もたれ部２００は、ランバーサポート２１０も含む。
【０１０８】
好ましくは、図１にて図示するように、ランバーサポート２１０は、受入れロッド２０１の輪郭に適応したループ・クランプ２１２によって、背面フレーム２０２に固定される。
【０１０９】
好ましい実施例において、ランバーサポート２１０は、剛性材料、例えば成形された複合材料で形成され、人体に対応するように人間工学的に設計された輪郭形状を有し、かつ複数の換気孔２１４を有する。
【０１１０】
いくつかの実施の形態では、ランバーサポート２１０は、一般に平坦な形状を有する。
【０１１１】
いくつかの実施の形態では、換気可能なクッション材から造られる腰パッドが、ランバーサポート２１０に配置されてもよい。
【０１１２】
背もたれ部２００は、背支持面２２２を備える背面サポート２２０を更に含む。好ましくは、背支持面２２２は、剛性材料、例えば成形された複合材料で形成され、人体に対応するように人間工学的に設計された輪郭形状を有し、かつ複数の換気孔２２４を有する。
【０１１３】
いくつかの実施の形態では、背支持面２２２は、一般に平坦な形状を有する。いくつかの実施の形態では、換気可能なクッション材から造られる後ろのパッドが、背支持面２２２に配置されていてもよい。
【０１１４】
好ましくは、背面サポート２２０は、少なくとも１つのヒンジ２３０を介してランバーサポート２１０に接続している。
【０１１５】
他の好ましい実施の形態では、図７に示すように、背面サポート２２０は、２つのヒンジ２３０を介してランバーサポート２１０に接続している。
【０１１６】
好ましくは、図５にて図示するように、ヒンジ２３０は、背面サポート２２０およびランバーサポート２１０が相対的に回転できるように構成されたボルトである。
【０１１７】
好ましくは、ヒンジ２３０は、背面サポート２２０がその軸に関して回動するように、一般に背面フレーム２０２の横水平軸と平行に走っている。
【０１１８】
背もたれ部２００は、背面サポート２２０が背面フレーム２０２の横水平軸に対して弾力的な回動ができるように、ランバーサポート２１０および背面サポート２２０のそれぞれ隣り合う面に沿って配置される少なくとも１つの弾力性のある枢動部材２４０を含む。
【０１１９】
いくつかの実施の形態では、背もたれ部２００は、２つの弾力的な枢動部材２４０を含む。
【０１２０】
他の好ましい実施の形態では、図７に示すように、弾力的な枢動部材２４０は、リーフスプリングである。
【０１２１】
いくつかの実施の形態では、弾力的な枢動部材２４０は、トーションスプリングまたは他のいかなる適切な代替物であってもよい。
【０１２２】
好ましくは、弾力的な枢動部材２４０は、ランバーサポート２１０の一方の端に固定され、他方の端は自由であり、背面サポート２２０がヒンジ２３０の周りに回動する時に撓曲する。
【０１２３】
図５にて図示するように、背支持面２２２に力が印加されるときに、背面サポート２２０は通常の立向姿勢から角度２５０だけ回転する。
【０１２４】
他の好ましい実施の形態では、背面サポート２２０は、ユーザの重心が座席のシャーシのベースの上に残るように、標準からほぼ３０度まで枢動する。
【０１２５】
いくつかの実施の形態では、背面サポート２２０は、標準から最高ほぼ５０度まで枢動する。
【０１２６】
さまざまなバネ定数を有するリーフスプリングを用いて、または、さまざまな初期のバネ抵抗を提供するために、リーフスプリング層を追加するかまたは取り除くことによって、弾力的な枢動部材の回動抵抗を、調整できる。
【０１２７】
いくつかの実施の形態では、背面サポート２２０は、少なくとも１つの枢動アーム２２６を含む。
【０１２８】
好ましくは、図７に示すように、枢動アーム２２６は、通常、ヒンジ２３０の下に位置して、ランバーサポート２１０から離れて角度付けされている。
【０１２９】
枢動アーム２２６は、背面サポート２２０の回動角度２５０を制限して、ランバーサポート２１０と協働して、そして、背面サポート２２０の更なる回動に抵抗を与えることによって、ユーザのための姿勢のサポートとして役立つように、構成される。
【０１３０】
他の好ましい実施の形態では、ランバーサポートは、少なくとも１つのレバー受け（pivot block）２１６を含む。好ましくは、レバー受け２１６は、背面サポート２２０が、図５にて図示するように、最大回動角度２５０だけ回転したときに、枢動アーム２２６に当接するように配置される。
【０１３１】
このように、レバー受け２１６は、枢動アーム２２６との接触によって、また背面サポート２２０のさらなる回動に抵抗を与えることによって、背面サポート２２０の回動角度２５０をさらに制限するように構成される。
【０１３２】
本発明が、特定の部品配置、特徴などに関して記載されたにもかかわらず、これらの記載は、すべての可能な配置または特徴を排除することを意図するものではない。実際、当業者は。様々な修正および変更を施すことが可能である。
【図１】
2021514276.tif 000003
【図２】
2021514276.tif 000004
【図３】
2021514276.tif 000005
【図４】
2021514276.tif 000006
【図５】
2021514276.tif 000007
【図６】
2021514276.tif 000008
【図７】
2021514276.tif 000009
【図８】
2021514276.tif 000010
【図９】
2021514276.tif 000011
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
人間工学的に設計された座席の構造であって、座面部と背もたれ部とを含み、
前記座面部は、シャーシに固定されるための座面フレームと、前記座面フレームに対して第１の横水平軸の周りに回動が可能なように前記座面フレームに枢着される座面台と、前記座面フレームと前記座面台との間で弾力的な相対回動ができるように、前記座面フレームと前記座面台との間に配置された少なくとも１つの第１の弾力部材と、を含み、
前記背もたれ部は、前記シャーシに固定されるのに適した背面フレームであって、かつ２本の平行な棒を有する背面フレームと、前記２本の平行な棒のそれぞれを介して前記背面フレームに接続されるランバーサポートと、前記背面フレームに対して第２の横水平軸の周りにチルト回動ができるように前記ランバーサポートに枢着される背面サポートと、を含み、
前記２本の平行な棒は、前記第２の横水平軸の両側で、かつ前記第２の横水平軸と平行に方向づけされており、その結果前記第２の横水平軸は前記２本の平行な棒の間にあり、前記背面サポートが前記２本の平行な棒の上側に延びており、
前記ランバーサポートおよび前記背面サポートの各表面に沿って配置され、それらの部材の間の回動チルトに弾力を与える、少なくとも１つの第２の弾力部材をさらに含み、
前記背面フレームおよび前記座面フレームは、少なくとも３つの車輪を有する車椅子のフレームに着脱可能に接続され、前記第２の横水平軸の位置が、前記車椅子のフレームに対して前後に調整可能である、座席の構造。
【請求項２】
前記座面フレームは、当該座面フレームが少なくとも１つの方向においてサイズ調節可能であるように設置された少なくとも１つの伸縮部材を備える、請求項１に記載の座席の構造。
【請求項３】
前記座面フレームは、当該座面フレームが少なくとも１つの方向においてサイズ調節可能であるように設置された複数の伸縮部材を備える、請求項１に記載の座席の構造、
【請求項４】
前記背面フレームは、前記２本の平行な棒の各々に接続する少なくとも１つの伸縮部材を備え、少なくとも１つの方向において前記背面フレームがサイズ調節可能である、請求項１に記載の座席の構造。
【請求項５】
前記背面フレームは、前記２本の平行な棒の各々に接続する複数の伸縮部材であって、当該背面フレームが少なくとも１つの方向においてサイズ調節可能であるように、複数の伸縮部材を含む、請求項１に記載の座席の構造。
【請求項６】
前記背面サポートは、当該背面サポートの回動の可動域を制限するように構成された少なくとも１つの枢動アームであって、前記第２の横水平軸の下側に延びている少なくとも１つの枢動アームを備える、請求項１に記載の座席の構造。
【請求項７】
前記ランバーサポートは、前記少なくとも１つの枢動アームに当接可能なように構成される少なくとも１つのレバー受けを備える、請求項６に記載の座席の構造。
【請求項８】
前記座面台、前記ランバーサポートおよび前記背面サポートの各々は、人体に対応するように人間工学的に設計された輪郭形状を有し、かつ複数の換気孔を有する、請求項１に記載の座席の構造。
【請求項９】
人間工学的に設計された座席の構造であって、座面部と背もたれ部とを含み、
前記座面部は、シャーシに固定されるのに適した座面フレームと、前記座面フレームに対して第１の横水平軸の回りにチルト回動が可能なように前記座面フレームに枢着された座面台と、前記座面フレームと前記座面台との間で弾力的な相対チルト回動ができるように、前記座面フレームと前記座面台との間に配置された少なくとも１つの第１の弾力部材と、を備え、
前記背もたれ部は、前記シャーシに固定されるのに適した背面フレームと、前記背面フレームに接続されたランバーサポートと、前記ランバーサポートに枢着された背面サポートであって、前記背面フレームに対して第２の横水平軸の回りにチルト回動できる背面サポートと、前記ランバーサポートおよび前記背面サポートの各表面に沿って配置され、その間で弾力的な相対チルト回動を可能にする少なくとも１つの第２の弾力部材と、
前記背面サポートに接続され、前記背面サポートの回動の可動域を制限するように構成された少なくとも１つの枢動アームと、
前記ランバーサポートに結合され、前記少なくとも１つの枢動アームと当接するように構成された少なくとも１つのレバー受けとをさらに備える、座席の構造。
【請求項１０】
前記座面フレームは、当該座面フレームが少なくとも１つの方向においてサイズ調節可能であるように配置された少なくとも１つの伸縮部材を備える、請求項９に記載の座席の構造。
【請求項１１】
前記背面フレームは、当該背面フレームが少なくとも１つの方向において、サイズ調節可能であるように配置された少なくとも１つの伸縮部材を備える、請求項９に記載の座席の構造。
【請求項１２】
前記座面台、前記ランバーサポートおよび前記背面サポートの各々は、人体に対応するように人間工学的に設計された輪郭形状を有し、複数の換気孔を有する、請求項９に記載の座席の構造。
【請求項１３】
車椅子であって、
車椅子のシャーシと、座面部と、背もたれ部とを有し、
前記座面部は、前記車椅子のシャーシに固定されるのに適している座面フレームと、前記座面フレームに対して第１の横水平軸の回りにチルト回動が可能なように前記座面フレームに枢着された座面台と、前記座面フレームと前記座面台との間で弾力的な相対チルト回動ができるように、前記座面フレームと前記座面台との間に配置された少なくとも１つの第１の弾力部材と、を備え、
前記背もたれ部は、前記車椅子のシャーシに固定される背面フレームと、
ユーザの腰部を支えるために形成される腰当て面を支持し、前記背面フレームに結合されたランバーサポートと、ユーザの背部が当たる背当て面を支持し、
前記背面フレームに対して第２の横水平軸の回りにチルト回動ができるように前記ランバーサポートに枢着された背面サポートと、前記ランバーサポートおよび前記背面サポートの各表面に沿って配置され、前記ランバーサポートと前記背面サポートとの間で弾力的な相対チルト回動を可能にする、少なくとも１つの第２の弾力部材と、を備え、前記弾力的な相対チルト回動により前記腰当て面と前記背当て面との相対的な角度が変化する、車椅子。
【請求項１４】
前記座面フレームが、少なくとも１つの方向において、前記座面フレームのサイズが調節可能であるように配置された少なくとも１つの伸縮部材を備える、請求項１３に記載の車椅子。
【請求項１５】
前記座面フレームが、少なくとも１つの方向において、前記座面フレームのサイズが調節可能であるように配置された複数の伸縮部材を備える、請求項１３に記載の車椅子。
【請求項１６】
前記背面フレームは、少なくとも１つの方向において前記背面フレームのサイズが調節可能であるように配置された少なくとも１つの伸縮部材を備える、請求項１３に記載の車椅子。
【請求項１７】
前記背面フレームは、少なくとも１つの方向において前記背面フレームのサイズが調節可能であるように配置された複数の伸縮部材を備える、請求項１３に記載の車椅子。
【請求項１８】
前記背面サポートは、背面サポートの回動の可動域を制限するように構成される少なくとも１つの枢動アームを備える、請求項１３に記載の車椅子。
【請求項１９】
前記ランバーサポートは、前記少なくとも１つの枢動アームと当接するように構成された少なくとも１つのレバー受けを備える、請求項１８に記載の車椅子。
【請求項２０】
前記座面台、前記ランバーサポートおよび前記背面サポートの各々は、人体に対応するように人間工学的に設計された輪郭形状を有し、複数の換気孔を有する、請求項１３に記載の車椅子。
【国際調査報告】
2021514276.tif 000012